(57)【特許請求の範囲】
【請求項１】
表示装置の画像生成部で生成されたカラー画像が表示される光学表示面における表示色の色ムラ補正方法であって、
基準色画像データを前記画像生成部に入力して基準色画像を表示させる前記光学表示面を複数の三角形領域に区画し、それぞれの前記三角形領域の３つの頂点に位置する基準画素での色座標を測定するとともに、前記基準画素での輝度補正量を決定し、それぞれの前記三角形領域の３つの前記基準画素での前記輝度補正量に基づいて、それぞれの前記三角形領域内の各画素での輝度補正量を所定の関数に従って求め、前記画像生成部に入力される、それぞれの前記三角形領域内の前記各画素に対応する色画像データに、前記輝度補正量に応じた補正を行ない、
前記輝度補正量（Ｚ）を、前記光学表示面におけるＸ方向の座標位置とＹ方向の座標位置を変数とする前記関数を表わす下記の演算式、Ｚ＝ａＸ＋ｂＹ＋ｃ （但し、ａ、ｂ、ｃは係数）
で求めることを特徴とする色ムラ補正方法。
【請求項２】
前記三角形領域の３つの頂点に位置する基準画素での前記輝度補正量は、前記基準画素で測定した色座標を、予め設定した色座標、または全ての前記基準画素の色座標の平均値に、一致させるように補正を加える値に設定されていることを特徴とする請求項１記載の色ムラ補正方法。
【請求項３】
前記輝度補正量は、少なくとも赤（Ｒ）成分、青（Ｂ）成分を調整して設定することを特徴とする請求項１または請求項２に記載の色ムラ補正方法。
【請求項４】
前記輝度補正量は、赤（Ｒ）、青（Ｂ）の２色の成分を調整して設定することを特徴とする請求項３記載の色ムラ補正方法。
【請求項５】
表示装置の画像生成部で生成されたカラー画像が表示される光学表示面に表示される表示色の色ムラ補正方法であって、
基準色画像データを前記画像生成部に入力して基準色画像を表示させる前記光学表示面を複数の三角形領域に区画し、それぞれの前記三角形領域の３つの頂点に位置する基準画素での色座標を測定し、
１つの前記特定画素を基準画素とし、前記特定画素間の色座標偏差が最小または最小付近になるように、前記基準画素近傍の特定画素から順次、輝度補正量を調整するとともに、
前記特定画素間の任意の画素での輝度補正量を、前記特定画素での輝度補正量に基づいて線形補間で求め、
前記画像生成部に入力される色画像データに、前記輝度補正量に応じた補正を行ない、
前記輝度補正量（Ｚ）を、前記光学表示面におけるＸ方向の座標位置とＹ方向の座標位置を変数とする前記関数を表わす下記の演算式、Ｚ＝ａＸ＋ｂＹ＋ｃ （但し、ａ、ｂ、ｃは係数）
で求めることを特徴とする色ムラ補正方法。
【請求項６】
前記輝度補正量は、青（Ｂ）成分を調整して設定することを特徴とする請求項５記載の色ムラ補正方法。
【請求項７】
前記光学表示面に複数の異なる階調の基準色画像を表示させ、それぞれの階調での、前記基準画素あるいは前記特定画素での色座標を測定し、
前記各階調毎に前記基準画素あるいは前記特定画素での輝度補正量を求めることを特徴とする請求項１ないし請求項６のいずれかに記載の色ムラ補正方法。
【請求項８】
前記表示装置は、投射型表示装置であることを特徴とする請求項１ないし請求項７のいずれかに記載の色ムラ補正方法。
【請求項９】
表示装置の画像生成部で生成されたカラー画像が表示されてなる光学表示面における表示色の色ムラ補正装置であって、
基準色画像データを前記画像生成部に入力して基準色画像を表示させる前記光学表示面を複数の三角形領域に区画してなる、それぞれの前記三角形領域の３つの頂点に位置する基準画素の色座標を測定した結果に基づいて決定された３つの前記基準画素での輝度補正量に基づいて求められた領域内補正データが格納されたメモリ部と、
前記色画像データがいずれの前記三角形領域に対応するかを判断する領域判断部と、
前記画像生成部に入力する前記画素に対応する色画像データに、前記領域判断部の領域データに基づいて、前記メモリ部から読み出した前記領域内補正データを用いて求められた輝度補正量に応じた補正を行ない、
前記輝度補正量（Ｚ）を、前記光学表示面におけるＸ方向の座標位置とＹ方向の座標位置を変数とする前記関数を表わす下記の演算式、Ｚ＝ａＸ＋ｂＹ＋ｃ （但し、ａ、ｂ、ｃは係数）
で求めることを特徴とする色ムラ補正装置。
【請求項１０】
前記メモリ部は、不揮発性半導体記憶装置からなることを特徴とする請求項９に記載の色ムラ補正装置。
【請求項１１】
前記領域内補正データは、前記係数ａ、ｂ、ｃに相当する係数データであり、前記輝度補正制御部は、前記領域判断部の判断に応じて前記三角形領域に固有の係数データを取り込むａレジスタ、ｂレジスタ、ｃレジスタと、前記ａレジスタ、ｂレジスタ、ｃレジスタから読み出した前記係数データと前記色画像データのアドレス情報とに基づいて前記輝度補正量を算出して、前記輝度補正量を前記色画像データに乗じる乗算手段と、を含むことを特徴とする請求項９または請求項１０に記載の色ムラ補正装置。
【請求項１２】
表示装置の画像生成部で生成されたカラー画像が表示されてなる光学表示面に表示される表示色の色ムラ補正回路であって、
基準色画像データを前記画像生成部に入力して基準色画像を表示させる前記光学表示面を複数の三角形領域に区画してなる、それぞれの前記三角形領域の３つの頂点に位置する基準画素の色座標を測定した結果に基づいて決定された、３つの前記基準画素での基準輝度補正量から求められた領域内補正データが格納された記憶回路部と、
前記色画像データがいずれの前記三角形領域の画素に対応するかを判断する領域判断回路部と、
前記画像生成部に入力する、前記画素に対応する色画像データに、前記領域判断回路部の領域データに基づいて前記記憶回路部から読み出した前記領域内補正データを用いて求められた輝度補正量に応じた補正を行なう輝度補正制御回路部と、を備え、
前記輝度補正量（Ｚ）を、前記光学表示面におけるＸ方向の座標位置とＹ方向の座標位置を変数とする前記関数を表わす下記の演算式、Ｚ＝ａＸ＋ｂＹ＋ｃ （但し、ａ、ｂ、ｃは係数）で求める
ことを特徴とする色ムラ補正回路。
【請求項１３】
前記メモリ部は、不揮発性半導体記憶装置でなることを特徴とする請求項１２に記載の色ムラ補正回路。
【請求項１４】
前記領域内補正データは、前記係数に相当する係数データであり、前記輝度補正制御回路は、前記領域判断回路部の判断に応じて前記三角形領域に固有の係数データを取り込むａレジスタ、ｂレジスタ、ｃレジスタと、前記ａレジスタ、ｂレジスタ、ｃレジスタから読み出した前記係数データと前記色画像データのアドレス情報とに基づいて前記輝度補正量を算出し、前記輝度補正量を前記色画像データに乗じる乗算回路部と、を含むことを特徴とする請求項１２または請求項１３に記載の色ムラ補正回路。
【請求項１５】
画像生成部で生成されたカラー画像を光学表示面へ表示する表示装置であって、
基準色画像データを前記画像生成部に入力して基準色画像を表示させる前記光学表示面を複数の三角形領域に区画してなる、それぞれの前記三角形領域の３つの頂点に位置する基準画素での色座標に基づいて決定された３つの前記基準画素での基準輝度補正量、から求められた領域内補正データが格納されたメモリ部と、
前記メモリ部から読み出した前記領域内補正データに基づいて所定の関数に従って、それぞれの前記三角形領域内の各画素での輝度補正量を算出し、前記基準輝度補正量または前記輝度補正量に応じて、前記画像生成部に入力される、それぞれの前記三角形領域内の前記各画素に対応する色画像データの補正を行なう輝度補正制御部と、を備え、
い、
前記輝度補正量（Ｚ）を、前記光学表示面におけるＸ方向の座標位置とＹ方向の座標位置を変数とする前記関数を表わす下記の演算式、Ｚ＝ａＸ＋ｂＹ＋ｃ （但し、ａ、ｂ、ｃは係数）
で求めることを特徴とする表示装置。
【請求項１６】
前記基準輝度補正量は、前記基準画素で測定した色座標を、予め設定した色座標、または全ての前記基準画素の色座標の平均値に、一致させるように補正を加える値に設定されていることを特徴とする請求項１５記載の表示装置。
【請求項１７】
前記輝度補正量は、少なくとも赤（Ｒ）成分、青（Ｂ）成分を調整して設定されていることを特徴とする請求項１５または請求項１６に記載の表示装置。
【請求項１８】
前記輝度補正量は、赤（Ｒ）、青（Ｂ）の２色の成分を調整して設定されていることを特徴とする請求項１７記載の表示装置。
【請求項１９】
表示装置の画像生成部で生成されたカラー画像を光学表示面で表示する表示装置であって、
基準色画像データを前記画像生成部に入力して基準色画像を表示させる前記光学表示面を複数の三角形領域に区画し、それぞれの前記三角形領域の３つの頂点に位置する基準画素の色座標を測定して求めた前記特定画素間の色座標偏差が最小または最小付近になるように、前記特定画素の１つを基準画素として該基準画素近傍の特定画素の輝度補正量データを順次調整して前記特定画素での輝度補正量を求め、前記輝度補正量に基づいて線形補間で求められた、前記特定画素間の任意の画素での輝度補正量データが、格納されたメモリ部と、
前記メモリ部から読み出される輝度補正量データに応じて、前記画像生成部に入力される色画像データの補正を行なう輝度補正制御部と、を備え、
前記輝度補正量（Ｚ）を、前記光学表示面におけるＸ方向の座標位置とＹ方向の座標位置を変数とする前記関数を表わす下記の演算式、Ｚ＝ａＸ＋ｂＹ＋ｃ （但し、ａ、ｂ、ｃは係数）
で求めることを特徴とする表示装置。
【請求項２０】
前記輝度補正量は、青（Ｂ）成分を調整して設定することを特徴とする請求項１９記載の表示装置。
【請求項２１】
前記輝度補正量は、前記光学表示面に複数の異なる階調の基準色画像を表示させ、それぞれの階調での、前記基準画素または前記特定画素での色座標を測定し、前記各階調毎に求められていることを特徴とする請求項１９または請求項２０に記載の表示装置。
【請求項２２】
前記画像生成部は、３枚のライトバルブを備えることを特徴とする請求項１５ないし請求項２１のいずれかに記載の表示装置。
【請求項２３】
前記ライトバルブは、液晶パネルであることを特徴とする請求項２２記載の表示装置。
【請求項２４】
前記光学表示面は、スクリーン上に形成されることを特徴とする請求項２２または請求項２３に記載の表示装置。
【発明の詳細な説明】
【０００１】
【発明の属する技術分野】
本発明は色ムラ補正方法、色ムラ補正装置、色ムラ補正回路、表示装置、及び情報記録媒体に関し、さらに詳しくは、例えば投射型表示装置などの光学表示に生じる色ムラを抑制する技術に関する。
【０００２】
【従来の技術】
近年、カラーの投射型表示装置では投射スクリーンの大型化が進んでいる。投射スクリーンの大型化に伴い、投射スクリーンでの表示画像に色ムラが発生するという問題が生じている。このような色ムラが発生する原因としては、投射用光源、画像生成装置（ライトバルブ）などにばらつきが存在することが挙げられる。従来、投射型表示装置を含む表示装置全体における、表示画像の欠陥を補正する方法としては、以下に説明するような方法が考えられている。
【０００３】
すなわち、表示画像の補正方法の一つとして、例えば、撮像手段を用いて表示画像における特異点を検出した後、この特異点の光学データと基準レベルとを比較して補正値を算出し、この補正値に基づいて表示装置に補正をかける方法がある。
【０００４】
また、表示画像の補正方法の他の一つとしては、次のようなものがある。まず、一定輝度レベルの映像信号を入力して画像表示面（スクリーン）に画像を投射し、画像表示面を格子状に分割した領域毎にその輝度レベルを撮像手段で測定し、その測定レベルと基準レベルとの直流差分データを輝度補正データとしてメモリに記録する。このメモリは輝度補正回路に組み込まれている。補正データの読み出しは、入力画像信号の水平、垂直同期信号から輝度測定時に分割された矩形状のスクリーン領域に対応するメモリのアドレスを算出することにより行なわれる。この補正データをＤ／Ａ変換回路でアナログ値に変換し、アナログ補正値を加算回路を用いて入力画像信号に加算した画像信号を表示装置側に出力する。このとき、投射型表示装置を構成する、例えばライトバルブとしての液晶表示素子では、上記した画像信号に基づいて補正が行なわれた表示駆動を行なう。このようにして、画像表示面の輝度ムラ、色ムラを補正する。
【０００５】
【発明が解決しようとする課題】
しかしながら、前者では、画素欠陥などによる表示画像における特異点のように明らかに他の表示部分と輝度や色の異なる部分を検出できても、表示画像に緩やかに色ムラが生じている場合にその色ムラは検出されないものであった。このため、この方法では、色ムラを補正することができないものであった。
【０００６】
後者では、画像表示面を格子状に分割した領域毎の補正が行なえるものの、個々の領域内での細部に亙る補正を行なうことができないものであった。
【０００７】
ところで、投射型表示装置としての３板方式の液晶プロジェクタ装置では、赤（Ｒ）、緑（Ｇ）、青（Ｂ）の３色光をそれぞれ３枚の液晶ライトバルブを通してスクリーン上に投射して光学的に合成して画像を表示している。このような液晶プロジェクタ装置では、それぞれの液晶ライトバルブの画像生成面のばらつきや、光源側の光学系の出射光のばらつきなどに起因して、光学表示（表示画像）に色ムラが生じる。この色ムラは、光学表示においてその領域内では漸次色が緩やかに変化する領域であり、液晶ライトバルブの良・不良を決定する画素欠陥などに起因する色の特異点と比べるとその発生メカニズムが異なる。
【０００８】
本発明は、表示画像の色ムラの補正量を適切に決定でき、表示画像の細部に亙って適切な補正を行なうことのできる、色ムラ補正方法、色ムラ補正装置、色ムラ補正回路、表示装置、及び情報記録媒体を得ることを目的としている。
【０００９】
【課題を解決するための手段】
そこで、本発明は、表示装置の画像生成部で生成されたカラー画像が表示される光学表示面における表示色の色ムラ補正方法であって、基準色画像データを前記画像生成部に入力して基準色画像を表示させる前記光学表示面を複数の三角形領域に区画し、それぞれの前記三角形領域の３つの頂点に位置する基準画素での色座標を測定するとともに、前記基準画素での輝度補正量を決定し、それぞれの前記三角形領域の３つの前記基準画素での前記輝度補正量に基づいて、それぞれの前記三角形領域内の各画素での輝度補正量を所定の関数に従って求め、前記画像生成部に入力される、それぞれの前記三角形領域内の前記各画素に対応する色画像データに、前記輝度補正量に応じた補正を行なうことを特徴とする。
【００１０】
本発明のこのような構成によれば、光学表示面に区画された三角形領域の３つの頂点に位置する基準画素での色座標を測定することで、基準画素での輝度補正量を決定できる。この基準画素での輝度補正量に基づいてそれぞれの三角形領域内の任意の画素の輝度補正量を、所定の関数、例えば線形補間などにより求めることが可能となる。また、光学表示面を三角形領域で区画することにより、細部に亙って輝度補正量の算定を容易に行なえるという効果がある。そして、これらの輝度補正量に基づき画像生成部に入力する色画像データを補正することで、具体的には輝度補正量を色画像データに乗じることで、表示画像に色ムラが発生するのを抑制できるという効果がある。
【００１１】
また、本発明の色ムラ補正方法においては、三角形領域の３つの頂点に位置する基準画素での輝度補正量が、基準画素で測定した色座標を、予め設定した色座標に、または全ての基準画素の色座標の平均値に、一致させるように補正を加える値に設定されていることが好ましい。
【００１２】
このような構成の本発明では、色座標という指標を利用して輝度補正が行なえるため、補正制御を容易に行なえるという利点がある。
【００１３】
さらに、本発明の色ムラ補正方法においては、輝度補正量が、少なくとも赤（Ｒ）成分、青（Ｂ）成分を調整して設定することが好ましい。特に、輝度補正量が、赤（Ｒ）、青（Ｂ）の２色の成分を調整して設定することで、混色に影響を与えやすい緑を除いた赤（Ｒ）と青（Ｂ）とで補正が行なえるため、補正制御を容易にするという効果がある。
【００１４】
また、本発明の色ムラ補正方法においては、輝度補正量（Ｚ）が、光学表示面におけるＸ方向の座標位置とＹ方向の座標位置を変数とする関数を表わす下記の演算式、Ｚ＝ａＸ＋ｂＹ＋ｃ （但し、ａ、ｂ、ｃは係数）で求めることが好ましい。
【００１５】
このような構成の本発明では、光学表示面での座標Ｘ、Ｙ位置に応じて、上記のような簡単な演算式で輝度補正量（Ｚ）を導くことが可能となり、補正制御が容易になるという効果がある。
【００１６】
本発明は、表示装置の画像生成部で生成されたカラー画像が表示される光学表示面に表示される表示色の色ムラ補正方法であって、基準色画像データを前記画像生成部に入力して基準色画像を表示させる前記光学表示面に複数の特定画素を決め、これら特定画素での色座標を測定し、１つの前記特定画素を基準画素とし、前記特定画素間の色座標偏差が最小または最小付近になるように、前記基準画素近傍の特定画素から順次、輝度補正量を調整するとともに、前記特定画素間の任意の画素での輝度補正量を、前記特定画素での輝度補正量に基づいて線形補間で求め、前記画像生成部に入力される色画像データに、前記輝度補正量に応じた補正を行なうことを特徴とする。
【００１７】
本発明のこのような構成によれば、１つの基準画素を固定し、その基準画素近傍の各特定画素での輝度補正量を順次調整することで求めることができる。そして、相隣接する特定画素間の色座標偏差を最小にすることが容易になるという効果がある。
【００１８】
また、本発明の色ムラ補正方法では、輝度補正量が、青（Ｂ）成分を調整して設定することが好ましい。
【００１９】
このような構成の本発明では、混色において悪影響を与えることの少ない青（Ｂ）を用いて調整を行なうことにより、色座標上でのなだらかな調整を行なうことができる。このようになだらかなの色の変化は、視覚上は認識しにくいため、有効な色ムラの補正を行なうことが可能となる。
【００２０】
さらに、本発明の色ムラ補正方法では、光学表示面に複数の異なる階調の基準色画像を表示させ、それぞれの階調での、基準画素または特定画素での色座標を測定し、各階調毎に基準画素または特定画素での輝度補正量を求めることが好ましい。
【００２１】
このような構成の本発明では、基準画素における色座標を、複数の異なる階調毎に測定するため、広い階調幅に亙って色ムラのない表示画像を得ることができる。
【００２２】
また、本発明の色ムラ補正方法では、表示装置が、投射型表示装置である場合に色ムラの補正を有効に行なうことができる。投射型表示装置では、投射スクリーンの大型化が進むに伴い、表示画像に色ムラが発生するという不都合が生じているが、本発明の色ムラ補正方法を適用することで、ライトバルブや色光源に色ムラ発生要因がある場合でも有効に色ムラ発生を抑制できるという効果を奏する。
【００２３】
本発明は、表示装置の画像生成部で生成されたカラー画像が表示されてなる光学表示面における表示色の色ムラ補正装置であって、基準色画像データを前記画像生成部に入力して基準色画像を表示させる前記光学表示面を複数の三角形領域に区画してなる、それぞの前記三角形領域の３つの頂点に位置する基準画素の色座標を測定した結果に基づいて決定された３つの前記基準画素での輝度補正量に基づいて求められた領域内補正データが格納されたメモリ部と、前記色画像データがいずれの前記三角形領域に対応するかを判断する領域判断部と、前記画像生成部に入力する前記画素に対応する色画像データに、前記領域判断部の領域データに基づいて、前記メモリ部から読み出した前記領域内補正データを用いて求められた輝度補正量に応じた補正を行なう輝度補正制御部と、を備えることを特徴とする。
【００２４】
本発明のこのような構成によれば、光学表示面に区画された三角形領域の３つの頂点に位置する基準画素での色座標上での位置を測定することで、基準画素での輝度補正量を決定できる。この基準画素での輝度補正量から求められた領域内補正データは、メモリ部に格納される。この基準画素での輝度補正量に基づいてそれぞれの三角形領域内の任意の画素の輝度補正量を、所定の関数、例えば線形補間などにより求めることが可能となる。また、光学表示面を三角形領域で区画することにより、細部に亙って輝度補正量の算定を容易に行なえるという効果がある。そして、輝度補正制御部で、メモリ部に格納された領域内補正データから算出された輝度補正量に応じて画像生成部に入力する色画像データを補正することで、具体的には輝度補正量を色画像データに乗じることで、表示画像に色ムラが発生するのを抑制できるという効果がある。
【００２５】
また、本発明の色ムラ補正装置においては、輝度補正量（Ｚ）が、光学表示面におけるＸ方向の座標位置とＹ方向の座標位置を変数とする前記関数を表わす演算式、Ｚ＝ａＸ＋ｂＹ＋ｃ（但し、ａ、ｂ、ｃは係数）で求めることが好ましい。
【００２６】
このような構成の本発明では、光学表示面での座標Ｘ、Ｙ位置に応じて、上記のような簡単な演算式で輝度補正量（Ｚ）を導くことが可能となり、補正制御が容易になるという効果がある。
【００２７】
さらに、本発明の色ムラ補正装置においては、メモリ部として、不揮発性半導体記憶装置を用いることができる。また、本発明の色ムラ補正装置において、領域内補正データは、係数ａ、ｂ、ｃに相当する係数データであり、輝度補正制御部は、領域判断部の判断に応じて三角形領域に固有の係数データを取り込むａレジスタ、ｂレジスタ、ｃレジスタと、ａレジスタ、ｂレジスタ、ｃレジスタから読み出した係数データと色画像データのアドレス情報とに基づいて輝度補正量を算出して、輝度補正量を色画像データに乗じる乗算手段とを含むことが好ましい。
【００２８】
このような構成の本発明では、どの三角形領域に属する画素であるか判断して係数ａ、ｂ、ｃを選択し、演算式、Ｚ＝ａＸ＋ｂＹ＋ｃに従って輝度補正量を算出するため、メモリ部にそれぞれの三角形領域における係数ａ、ｂ、ｃに相当する係数データを格納するだけでよくなる。このため、メモリ部として、記憶容量が小さいものを用いることができるという利点がある。
【００２９】
本発明は、表示装置の画像生成部で生成されたカラー画像が表示されてなる光学表示面に表示される表示色の色ムラ補正回路であって、基準色画像データを前記画像生成部に入力して基準色画像を表示させる前記光学表示面を複数の三角形領域に区画してなる、それぞの前記三角形領域の３つの頂点に位置する基準画素の色座標を測定した結果に基づいて決定された、３つの前記基準画素での基準輝度補正量から求められた領域内補正データが格納された記憶回路部と、前記色画像データがいずれの前記三角形領域の画素に対応するかを判断する領域判断回路部と、前記画像生成部に入力する、前記画素に対応する色画像データに、前記領域判断回路部の領域データに基づいて前記記憶回路部から読み出した前記領域内補正データを用いて求められた輝度補正量に応じた補正を行なう輝度補正制御回路部と、を備えることを特徴とする。
【００３０】
本発明のこのような構成によれば、光学表示面に区画された三角形領域の３つの頂点に位置する基準画素での色座標を測定することで、基準画素での輝度補正量を決定できる。この基準画素での輝度補正量に基づいてそれぞれの三角形領域内の任意の画素の輝度補正量を、所定の関数、例えば線形補間などにより求めることが可能となる。また、光学表示面を三角形領域で区画することにより、細部に亙って輝度補正量の算定を容易に行なえるという効果がある。そして、これらの輝度補正量に応じて画像生成部に入力する色画像データを補正することで、具体的には輝度補正量を色画像データに乗じることで、表示画像に色ムラが発生するのを抑制できるという効果がある。
【００３１】
また、本発明の色ムラ補正回路では、輝度補正量（Ｚ）が、光学表示面におけるＸ方向の座標位置とＹ方向の座標位置を変数とする関数を表わす下記の演算式、Ｚ＝ａＸ＋ｂＹ＋ｃ（但し、ａ、ｂ、ｃは係数）で求めることが好ましい。
【００３２】
このような構成の本発明では、光学表示面での座標Ｘ、Ｙ位置に応じて、上記のような簡単な演算式で輝度補正量（Ｚ）を導くことが可能となり、補正制御が容易になるという効果がある。
【００３３】
さらに、本発明の色ムラ補正回路では、メモリ部が、不揮発性半導体記憶装置でなることが好ましい。
【００３４】
また、本発明の色ムラ補正回路では、領域内補正データが、係数に相当する係数データであり、輝度補正制御回路は、領域判断回路部の判断に応じて前記三角形領域に固有の係数データを取り込むａレジスタ、ｂレジスタ、ｃレジスタと、ａレジスタ、ｂレジスタ、ｃレジスタから読み出した係数データと色画像データのアドレス情報とに基づいて輝度補正量を算出し、輝度補正量を色画像データに乗じる乗算回路部と、を含むことが好ましい。
【００３５】
このような構成の本発明では、どの三角形領域に属する画素であるか判断して係数ａ、ｂ、ｃを選択し、演算式、Ｚ＝ａＸ＋ｂＹ＋ｃに従って輝度補正量を算出するため、メモリ部にそれぞれの三角形領域における係数ａ、ｂ、ｃに相当する係数データを格納するだけでよくなる。このため、メモリ部として、記憶容量が小さいものを用いることができるという利点がある。
【００３６】
本発明は、画像生成部で生成されたカラー画像を光学表示面へ表示する表示装置であって、基準色画像データを前記画像生成部に入力して基準色画像を表示させる前記光学表示面を複数の三角形領域に区画してなる、それぞれの前記三角形領域の３つの頂点に位置する基準画素での色座標に基づいて決定された３つの前記基準画素での基準輝度補正量、から求められた領域内補正データが格納されたメモリ部と、前記メモリ部から読み出した前記領域内補正データに基づいて所定の関数に従って、それぞれの前記三角形領域内の各画素での輝度補正量を算出し、前記基準輝度補正量または前記輝度補正量に応じて、前記画像生成部に入力される、それぞれの前記三角形領域内の前記各画素に対応する色画像データの補正を行なう輝度補正制御部と、を備えることを特徴とする。
【００３７】
本発明のこのような構成によれば、光学表示面に区画された三角形領域の３つの頂点に位置する基準画素での色座標を測定することで、基準画素での輝度補正量を決定できる。この基準画素での輝度補正量に基づいてそれぞれの三角形領域内の任意の画素の輝度補正量を、所定の関数、例えば線形補間などにより求めることが可能となる。また、光学表示面を三角形領域で区画することにより、細部に亙って輝度補正量の算定を容易に行なえるという効果がある。そして、これらの輝度補正量に応じて画像生成部に入力する色画像データを補正することで、具体的には輝度補正量を色画像データに乗じることで、表示画像に色ムラが発生するのを抑制できるという効果がある。
【００３８】
また、本発明の表示装置では、基準画素での輝度補正量が、基準画素で測定した色座標を、予め設定した色座標、または全ての基準画素の色座標の平均値に、一致させるように補正を加える値に設定されていることが好ましい。
【００３９】
このような構成の本発明では、色座標という指標を利用して輝度補正が行なえるため、補正制御を容易に行なえるという利点がある。
【００４０】
さらに、本発明の表示装置では、輝度補正量が、少なくとも赤（Ｒ）成分、青（Ｂ）成分を調整して設定されていることが好ましい。特に、本発明では、輝度補正量が、赤（Ｒ）、青（Ｂ）の２色の成分を調整して設定することで、混色に影響を与えやすい緑を除いた赤（Ｒ）と青（Ｂ）とで補正が行なえるため、補正制御を容易にするという効果がある。
【００４１】
また、本発明の表示装置では、輝度補正量（Ｚ）が、光学表示面におけるＸ方向の座標位置とＹ方向の座標位置を変数とする前記関数を表わす演算式、Ｚ＝ａＸ＋ｂＹ＋ｃ（但し、ａ、ｂ、ｃは係数）で求められることが好ましい。
【００４２】
このような構成の本発明では、光学表示面での座標Ｘ、Ｙ位置に応じて、上記のような簡単な演算式で輝度補正量（Ｚ）を導くことが可能となり、補正制御が容易になるという効果がある。
【００４３】
本発明は、表示装置の画像生成部で生成されたカラー画像を光学表示面で表示する表示装置であって、基準色画像データを前記画像生成部に入力して基準色画像を表示させる前記光学表示面に複数の特定画素を決め、これら特定画素の色座標を測定して求めた前記特定画素間の色座標偏差が最小または最小付近になるように、前記特定画素の１つを基準画素として該基準画素近傍の特定画素の輝度補正量データを順次調整して前記特定画素での輝度補正量を求め、前記輝度補正量に基づいて線形補間で求められた、前記特定画素間の任意の画素での輝度補正量データが、格納されたメモリ部と、前記メモリ部から読み出される輝度補正量データに応じて、前記画像生成部に入力される色画像データの補正を行なう輝度補正制御部と、を備えることを特徴とする。
【００４４】
本発明のこのような構成によれば、１つの基準画素を固定し、その基準画素近傍の各特定画素での輝度補正量を順次調整することで求めることができる。そして、相隣接する特定画素間の色座標偏差を最小にすることが容易になるという効果がある。このため、本発明では、表示画像の色ムラ補正を容易に行なうことができる。
【００４５】
また、本発明の表示装置において、前記輝度補正量が、青（Ｂ）成分を調整して設定することが好ましい。
【００４６】
このような構成の本発明では、混色において悪影響を与えることの少ない青（Ｂ）を用いて調整を行なうことにより、色座標上でのなだらかな調整を行なうことができる。このようになだらかなの色の変化は、視覚上は認識しにくいため、有効な色ムラの補正を行なうことが可能となる。
【００４７】
さらに、本発明の表示装置においては、輝度補正量が、光学表示面に複数の異なる階調の基準色画像表示させ、それぞれの階調での、基準画素または特定画素での色座標上での位置を測定し、各階調毎に求められていることが好ましい。
【００４８】
このような構成の本発明では、基準画素における色座標上を、複数の異なる階調毎に測定するため、広い階調幅に亙って色ムラのない表示画像を得ることができる。
【００４９】
また、本発明の表示装置は、画像生成部として３枚のライトバルブを備える投射型表示装置であることが好ましい。
【００５０】
このような構成の本発明では、スクリーンに投射される表示画像の色ムラの補正を有効に行なうことができる。投射型表示装置では、投射スクリーンの大型化が進むに伴い、表示画像に色ムラが発生するという不都合が生じているが、本発明を適用することで、ライトバルブや色光源に色ムラ発生要因がある場合でも有効に色ムラ発生を抑制できるという効果を奏する。
【００５１】
さらに、本発明の表示装置では、ライトバルブが、液晶パネルであることが好ましい。そして、光学表示面が、スクリーン上に形成される場合に本発明を適用すると、スクリーンが光学表示面となり、スクリーン上の基準画素を測定することで容易に全画素での輝度補正量を設定することが可能になる。
【００５２】
本発明は、画像生成部で生成されたカラー画像を光学表示面に表示する表示装置に備えられる情報記録媒体であって、光学表示面を複数の三角形領域で区画したそれぞれの三角形領域の３つの頂点に位置する基準画素の色座標上での位置を測定した結果から求められた基準画素での輝度補正量に基づいて、それぞれの三角形領域内の任意の画素での輝度補正量を算出するための補正用データが格納されていることを特徴とする。
【００５３】
本発明のこのような構成によれば、表示装置の色ムラ補正を行なうための、光学表示面での補正用データを補正の際に読み出すことが可能となる。また、画像生成部を含む表示装置に情報記録媒体を組み込むことで、表示画質を容易に向上させることができる。
【００５４】
また、本発明の情報記録媒体は、ＥＰＲＯＭ、ＥＥＰＲＯＭなどの不揮発性半導体メモリであることが好ましい。
【００５５】
【発明の実施の形態】
以下、本発明に係る色ムラ補正方法、色ムラ補正装置、色ムラ補正回路、表示装置、および情報記録媒体の詳細を実施形態に基づいて説明する。
【００５６】
（実施形態１）
本実施形態１は、投射型表示装置に本発明を適用したものである。まず、本発明を適用する実施形態１の投射型表示装置１の構成について図１〜図４を用いて説明する。
【００５７】
投射型表示装置１は、投射スクリーン３００へ画像を投射する画像生成部１０と、画像生成部１０へ駆動信号を出力する駆動回路部２０と、から大略構成されている。
【００５８】
まず、本実施形態の投射型表示装置１の駆動回路部２０について説明する。図１に示すように、駆動回路部２０は、水平同期信号（ＨＤ）、垂直同期信号（ＶＤ）、ドットクロック（ＤＣＬＫ）が入力される領域判断部２１と、後記する係数データが格納されたメモリ２２と、メモリ２２から係数データが入力されるレジスタ２３と、レジスタ２３の出力とデジタル画像データとが入力される乗算回路２４と、乗算回路２４からの補正画像信号が入力されるＤ／Ａコンバータ２５と、Ｄ／Ａコンバータ２５でアナログ変換された補正画像信号を増幅する増幅器２６と、から主に構成されている。また、本実施形態では、領域判断部２１と、メモリ２２と、レジスタ２３と、乗算回路２４と、で色ムラ補正回路２７を構成している。尚、簡単のため、画像生成部１０を制御するための回路、信号は省略してある。
【００５９】
デジタル画像データは、画像信号を所定のタイミングで書き込んだ、図示しないフレームメモリから読み出されて乗算回路２４に入力される。レジスタ２３は、後記する補正用関数を表す式の係数データが、随時書き込まれる、ａレジスタ２３ａと、ｂレジスタ２３ｂと、ｃレジスタ２３ｃと、を備えている。メモリ２２には、後記する三角形領域における補正用関数に固有の係数データが記録されている。領域判断部２１は、デジタル画像データの対応するアドレス情報に応じて（水平同期信号、垂直同期信号、ドットクロックなどにより）領域判断を行い、メモリ２２の所定の係数データを読み出す領域判断信号を出力するようになっている。
【００６０】
ここで、メモリ２２に格納する係数データの求め方を図２および図３を用いて説明する。
【００６１】
まず、本実施形態では、図２に示すように投射スクリーン３００を８つの三角形領域Ｓ１〜Ｓ８に区画する。なお、本実施形態の区画の方法は、投射スクリーン３００の中心を通るように同図中Ｓｘ、Ｓｙ方向の直交する２本の線ａ、ｂで、投射スクリーン３００を４つの長方形に分割した後、それぞれの長方形を線ａ、ｂの端部どうしを結ぶ線ｃ、ｄ、ｅ、ｆで分割して８つの三角形領域Ｓ１〜Ｓ８に分割する。
【００６２】
そして、所定の基準となるデジタル画像データをそのままＤ／Ａコンバータ２５、増幅器２６を介して生成した画像信号を画像生成部１０に入力して、この画像生成部１０から投射スクリーン３００へ基準画像を投射する。具体的には、投射スクリーン３００へ、例えば最大２５６の階調表示が可能な場合、１２８階調の中間調（グレー）を基準画像として均一に投射する。この状態で、それぞれの三角形領域Ｓ１〜Ｓ８の３つの頂点の位置の画素（以下、基準画素という）での色座標を測定する。この測定には、周知の色座標測定器を用いることができる。図２に示すように、例えば、三角形領域Ｓ１では３つの頂点に対応する基準画素Ｐ１、Ｐ２、Ｐ４の色座標を測定する。そして、それぞれの三角形領域の３つの頂点に位置する基準画素での輝度補正量を求める。この輝度補正量は、基準画素で求めた色座標を、予め設定した色座標上の位置に一致させる補正や、または全基準画素の色座標の平均値に一致させる補正を加えて設定する。
【００６３】
本実施形態の具体的な輝度補正量の決定方法は、図３に示すように、黒丸で示す基準画素での実測色座標を目標色座標に一致させるように、赤（Ｒ）成分と青（Ｂ）成分とを調整する。なお、緑（Ｇ）成分は、光の合成に対して影響を与え易いため、赤および青を用いて調整することが好ましい。本実施形態では、基準画素での色座標を、目標色座標と一致させる調整を行う際、色差と色座標上の距離がある程度比例関係にあるＵＣＳ表色系を用いることが、色差を表現するのに適している。なお、ＵＣＳ表色系は、Ｌｕｖ又はＬｕ’ｖ’を用いて表示するのが一般的である。尚、実測色座標がＸＹＺ表色系で得られる場合、以下に示す式を用いてＵＣＳ表色系に変換する。
【００６４】
Ｌｕｖを用いる場合は、  Ｌ＝Ｙ
ｕ＝４Ｘ／（Ｘ＋１５Ｙ＋３Ｚ）
ｖ＝６Ｙ／（Ｘ＋１５Ｙ＋３Ｚ）
となり、これらの式から、
ｕ＝２ｘ／（６ｙ−ｘ＋１．５）
ｖ＝３ｙ／（６ｙ−ｘ＋１．５）
が導かれる。また、Ｌｕ’ｖ’を用いる場合は
ｕ’＝ｕ
ｖ’＝１．５ｖ
によって導かれる。
【００６５】
図３はｕ−ｖ座標上での基準画素での未補正の色座標を目標色座標に一致させる補正操作を説明している。このような操作により、基準画素での輝度補正量を、求めることができる。なお、具体的な操作としては、上記したように赤成分と青成分とを調整することにより行う。
【００６６】
また、投射スクリーン３００における図２に示す左右Ｓｘ（Ｘ）方向、上下Ｓｙ（Ｙ）方向、任意の三角形領域に属する任意画素での補正量をＳｘ、Ｓｙに垂直なＳｚ（Ｚ）方向とした３次元座標で考えると、各三角形領域が基準画素を３つ含むため、三角形領域内の任意の場所（画素）の補正量Ｓｚは、３つ基準画素での基準補正量から線形補間して求めることが可能となる。平面は、Ｓｚ＝ａＳＸ＋ｂＳＹ＋ｃ（一般的には、Ｚ＝ａＸ＋ｂＹ＋ｃ）で表されるため、この係数ａ、ｂ、ｃを上記した３つの基準画素での基準補正量より求めれば、各三角形領域内の任意の画素での補正量Ｓｚは上記演算式によって得られる。
【００６７】
このようにして求められた係数ａ、ｂ、ｃのデータは、図１に示すメモリ２２内に格納されている。なお、係数データは、各三角形領域Ｓ１〜Ｓ８にそれぞれ固有のデータである。
【００６８】
本実施形態においては、図１に示すように、水平同期信号、垂直同期信号およびドットクロックに基づいて、領域判断部２１がメモリ２２から三角形領域Ｓ１〜Ｓ８に固有の係数データを読み出してレジスタ２３に一時的に書き込む動作を行う。この係数データの書き込みは、この係数データでの補正を行う三角形領域に投射されるデータ画像データに先駆けて行われ、乗算回路２４にデジタル画像データ信号が入力されるタイミングでレジスタ２３のａレジスタ２３ａ、ｂレジスタ２３ｂ、ｃレジスタ２３ｃから係数データ信号が乗算回路２４に入力されて、デジタル画像データに輝度補正量Ｓｚを乗じるようになっている。このため、デジタル画像データは、そのアドレス情報に応じて、投射される三角形領域における補正処理が施された信号として画像生成部１０に到達する。本実施形態の投射型表示装置１においては、領域判断部２１とメモリ２２とレジスタ２３と乗算回路２４とで、色ムラ補正回路もしくは補正装置を構成している。また、メモリ２２としては、ＥＰＲＯＭ、ＥＥＰＲＯＭなどの不揮発性半導体メモリを適用することができる。このメモリ２２は、投射型表示装置１を製品として出荷する際に、製品のロット毎に測定を行って求めた係数データが格納された情報記録媒体として、色ムラ補正回路に組み込む設定としてもよい。
【００６９】
なお、本実施形態においては、図２に示したように、光学表示面としての投射スクリーン３００を８つの三角形領域Ｓ１〜Ｓ８に区画したが、投射スクリーン３００を三角形領域で区画するものであれば、これに限定されるものではない。
【００７０】
次に、画像生成部１０について説明する。
【００７１】
画像生成部１０は、図４に示すように、照明光学系１００と、ダイクロイックミラー２１０、２１２を含む色光分離光学系２００と、反射ミラー２２２、２２４と入射側レンズ２３０とリレーレンズ２３２とを含む導光光学系２２０と、反射ミラー２１８と、３枚のフィールドレンズ２４０、２４２、２４４と、３枚の液晶ライトバルブ２５０、２５２、２５４と、クロスダイクロイックプリズム２６０と、投射レンズ系２７０と、を備えている。液晶ライトバルブ２５０、２５２、２５４は、それぞれ液晶パネル２５０ｂ、２５２ｂ、２５４ｂと、入射側偏光板２５０ａ、２５２ａ、２５４ａと、出射側偏光板２５０ｃ、２５２ｃ、２５４ｃとを備えている。これら液晶パネル２５０ｂ、２５２ｂ、２５４ｂには、上記した駆動回路部２０の増幅器２６から、それぞれの色用画像データが入力される。上記したように、各色用画像データは、色ムラ補正回路２７により色ムラの発生を抑制する補正が施されている。
【００７２】
照明光学系１００は、略平行な光束を出射する光源１１０と、第１のレンズアレイ１２０と、第２のレンズアレイ１３０と、重畳レンズ１５０と、反射ミラー１６０とを備えている。照明光学系１００は、３枚の液晶ライトバルブ２５０、２５２、２５４の照明領域である液晶パネル２５０ｂ、２５２ｂ、２５４ｂの有効領域を照明するためのインテグレータ光学系である。
【００７３】
光源１１０は、放射状の光線を出射する放射光源としての光源ランプ１１２と、光源ランプ１１２から出射された放射光を略平行な光線束として出射する凹面鏡１１４とを有している。光源ランプとしては、ハロゲンランプやメタルハライドランプ、高圧水銀ランプが用いられる。
【００７４】
このような構成の投射型表示装置１０において、光源１０から出射された略平行な光束は、インテグレータ光学系を構成する第１と第２のレンズアレイ１２０、１３０によって、複数の部分光束に分割される。第１のレンズアレイ１２０の各小レンズから出射された部分光束は、第２のレンズアレイ１３０の各小レンズ１３２の近傍で光源１１０の光源像（２次光源像）が形成されるように集光される。第２のレンズアレイ１３０の近傍に形成された２次光源像から出射された部分光束は、拡散しながら重畳レンズ１５０によって液晶パネル２５０ｂ、２５２ｂ、２５４ｂの有効領域（表示領域）上で重畳される。この結果、各液晶パネル２５０ｂ、２５２ｂ、２５４ｂは照明される。
【００７５】
色光分離光学系２００は、２枚のダイクロイックミラー２１０、２１２を備え、重畳レンズ１５０から出射される光を、赤（Ｒ）、緑（Ｇ）、青（Ｂ）３色の色光に分離する機能を有している。第１のダイクロイックミラー２１０は、照明光学系１００から出射された白色光束の赤色光成分を透過させるとともに、青色光成分と緑色光成分とを反射する。第１のダイクロイックミラー２１０を透過した赤色光は、反射ミラー２１８で反射され、フィールドレンズ２４０を通って赤色光用の液晶ライトバルブ２５０に達する。このフィールドレンズ２４０は、第２のレンズアレイ１３０から出射された各部分光束をその中心軸（主光線）に対して平行な光束に変換する。他の液晶ライトバルブの前に設けられたフィールドレンズ２４２、２４４も同様である。
【００７６】
第１のダイクロイックミラー２１０で反射された青色光と緑色光のうちで、緑色光は第２のダイクロイックミラー２１２によって反射され、フィールドレンズ２４２を通って緑色光用の液晶ライトバルブ２５２に達する。一方、青色光は、第２のダイクロイックミラー２１２を透過し、入射側レンズ２３０、リレーレンズ系（導光光学系）２２０を通り、さらに出射側レンズ（フィールドレンズ）２４４を通って青色光用の液晶ライトバルブ２５４に達する。なお、青色光にリレーレンズ系が用いられているのは、青色光の光路の長さが他の色光の光路の長さよりも長いため、光の拡散などによる光の利用効率の低下を防止するためである。すなわち、入射側レンズ２３０に入射した部分光束をそのまま、出射側レンズ２４４に伝えるためである。
【００７７】
液晶ライトバルブ２５０は、入射側偏光板２５０ａと、液晶パネル２５０ｂと、出射側偏光板２５０ｃとを備えている。入射側偏光板２５０ａは、その透過軸がｓ偏光の方向に設定されており、入射した光のうちｓ偏光光のみを透過する。液晶パネル２５０ｂは、与えられ画像情報（画像信号）に従って、入射側偏光板２５０ａから出射された赤色光の偏光光の偏光方向を変調する。出射側偏光板２５０ｃは、その透過軸がｐ偏光の方向に設定されていおり、液晶パネル２５０ｂから出射した変調光のうち、ｐ偏光光のみを透過する。これにより、液晶ライトバルブ２５０ａは、与えられ画像情報に従って入射光を変調して画像を形成する機能を有している。
【００７８】
液晶ライトバルブ２５２、２５４も、それぞれ、入射側偏光板２５２ａ、２５４ａと、液晶パネル２５２ｂ、２５４ｂと、出射側偏光板２５２ｃ、２５４ｃとを備え、液晶ライトバルブ２５０と同様の機能を有している。クロスダイクロイックプリズム２６０は、３色の色光を合成してカラー画像を形成する色光合成部としての機能を有している。
【００７９】
赤色光の液晶ライトバルブ２５０の入射側偏光板２５０ａは、フィールドレンズ２４０の平坦な出射面に貼り付けられている。出射側偏光板２５０ｃは、液晶パネル２５０ｂの出射面に貼り付けられている。液晶パネル２５０ｂは、入射側偏光板２５０ａからある程度間隔を隔てて配置されている。
【００８０】
赤色光用の液晶ライトバルブ２５０と同様に、緑色光用の液晶ライトバルブ２５２の入射側偏光板２５２ａも、フィールドレンズ２４２の平坦な出射面に貼り付けられている。また、出射側偏光板２５２ｃも液晶パネル２５２ｂの出射面に貼り付けられている。さらに、液晶パネル２５２ｂも、入射側偏光板２５２ａからある程度間隔を隔てて配置されている。
【００８１】
青色光用の液晶ライトバルブ２５４は、他の液晶ライトバルブ２５０、２５２と異なる構成を有している。青色光用の液晶ライトバルブ２５４の入射側偏光板２５４ａは、液晶パネル２５４ｂとフィールドレンズ２４４との第１の間隔の間に、液晶パネル２５４ｂと可能な限り間隔を隔てて配置されている透明板２４６、例えば、ガラス板の出射面に貼り付けられている。青色光用の液晶ライトバルブ２５４の出射側偏光板２５４ｃは、他の液晶ライトバルブ２５０、２５４と同様に、液晶パネル２５４ｂの出射面に貼り付けられている。
【００８２】
クロスダイクロイックプリズム２６０は、赤色光を反射する誘電体多層膜と、青色光を反射する誘電体多層膜とが、４つの直角プリズムの界面に略Ｘ字状に形成されている。これらの誘電体多層膜によって３つの色光が合成されて、カラー画像を投射するための合成光が形成される。
【００８３】
このようにクロスダイクロイックプリズム２６０で生成された合成光は、投射レンズ系２７０の方向に出射される。投射レンズ系２７０は、この合成光を光学表示面としての投射スクリーン３００上に投射して、カラー画像を表示する投射手段としての機能を有する。
【００８４】
以上、本実施形態１の投射型表示装置１について説明したが、本実施形態１においては、光学表示面としての投射スクリーン３００に区画された三角形領域Ｓ１〜Ｓ８の３つの頂点に位置する基準画素での色座標を測定することで、基準画素での輝度補正量を決定でき、この基準画素での輝度補正量に基づいてそれぞれの三角形領域内の任意の画素の輝度補正量を、上記した関数により求めることが可能となる。また、投射スクリーン３００を三角形領域で区画することにより、細部に亙って輝度補正量Ｓｚの算定を容易に行なえるという効果がある。そして、これらの輝度補正量を画像生成部１０に入力する色画像データに乗じることで、表示画像に色ムラが発生するのを抑制できるという効果がある。
【００８５】
また本実施形態１では、色座標という指標を利用して輝度補正が行なったため、補正量の算定方法が簡単になり補正制御を容易に行なえるという利点がある。
【００８６】
さらに、本実施形態１では、赤（Ｒ）成分、青（Ｂ）成分を調整して設定して補正量を調整するため、光の合成に影響を与えやすい緑を用いずに容易に補正制御が行えるという効果がある。
【００８７】
（実施形態１の色ムラ補正方法の変形例１）
図５は、実施形態１における色ムラ補正方法の変形例を説明する図である。基準画素での色座標実測を行う場合、投射スクリーン３００の周縁部では安定した測定が出来ない場合もあるため、周縁より内側の複数画素を測定画素として実測を行い、同図中Ｐ１〜Ｐ９のうち投射スクリーン３００の中央のＰ５以外の基準画素の輝度補正量を測定画素の実測結果から演算で推定して求める。このようにして求めた基準画素での輝度補正量に基づいて、Ｐ５を頂点に含む８つの三角形領域Ｓ１〜Ｓ８内の任意の画素での補正量を、上記した実施形態１と同様に求める。この変形例１によって求められた係数データを格納するメモリ２２や他の構成は、上記した実施形態１と同様である。
【００８８】
（実施形態１の色ムラ補正方法の変形例２）
図６は、実施形態１における色ムラ補正方法の変形例を説明する図である。この変形例２では、上記した変形例１と同様に投射スクリーン３００の周縁より内側に測定画素Ｐ１〜Ｐ８を設定し、測定画素Ｐ５以外の測定画素の外側に位置する領域は、図中Ｐ１、Ｐ３、Ｐ７、Ｐ９が属する領域と同様の係数データを用いて補正を加えるようにする。この変形例２においても、求められた係数データを格納するメモリ２２や他の構成は、上記した実施形態１と同様である。
【００８９】
（実施形態２）
図７は、本発明に係る表示装置の実施形態２を示す投射型表示装置を示している。なお、本実施形態２において、上記した実施形態１と同様の部分には同一の符号を付して説明を省略する。本実施形態の投射型表示装置１では、複数の異なる階調に亙って三角形領域の基準画素での輝度測定を行い、基準補正量を求めるようにしてもよい。このようにすれば、幅広い階調に亙って画像の色ムラ補正を行うことが可能となる。
【００９０】
本実施形態２の投射型表示装置１においては、メモリ２２に、複数の異なる階調に亙って三角形領域の基準画素での色座標測定を行った結果得られた、それぞれの階調毎にすべての三角形領域Ｓ１〜Ｓ８にそれぞれ固有の係数データが格納されている。また、レジスタ２３は、ａレジスタ、ｂレジスタ、ｃレジスタを１組として複数組のａ、ｂ、ｃレジスタ２３ａ１、２３ｂ１、２３ｃ１〜２３ａｎ、２３ｂｎ、２３ｃｎを備え、メモリ２２から読み出された、複数階調毎のそれぞれの三角形領域Ｓ１〜Ｓ８に固有の係数データが、書き込まれ得るようになっている。さらに、デジタル画像データの階調の判断を行う階調判断部２８と、この階調判断部２８の判断に伴って、レジスタ２３の所定の組のａ、ｂ、ｃレジスタの選択を行う選択回路２９と、を備えている。選択回路２９は、選択した係数データを乗算回路２４へ出力するようになっている。また、本実施形態では、領域判断部２１と、メモリ２２と、レジスタ２３と、階調判断部２８と、乗算回路２４と、で色ムラ補正回路２７を構成している。なお、本実施形態２における他の構成は、上記した実施形態１と同様であるため説明を省略する。
【００９１】
本実施形態２では、レジスタ２３が複数組（ｎ組）のａ、ｂ、ｃの係数データを一時記憶できるように設定されているため、階調判断部２８でデジタル画像データの階調を判断した結果に応じて、選択回路２９でデジタル画像データの階調に対応する係数データを乗算回路へ供給することが可能となる。この結果、乗算回路２４において、デジタル画像データに補正量を乗ずることができる。本実施形態２の他の作用・動作は、上記した実施形態１と略同様である。
【００９２】
本実施形態２によれば、画像生成部１０から投射されて投射スクリーン３００上で結像された表示画像を広い階調幅に亙って色ムラのない表示に補正することができる。
【００９３】
（実施形態３）
図８は、本発明の実施形態３を示すものであり、他の色ムラ補正方法に関する。本実施形態では、例えば投射型表示装置の画像生成部に所定階調の画像データを入力して基準画像を投射スクリーンに表示させるとともに、投射スクリーンに複数（９）の特定画素Ｐ１〜Ｐ９を決め、これら特定画素Ｐ１〜Ｐ９での色座標上での位置を測定し、１つの特定画素Ｐ１を基準画素として輝度補正量を決定してこれを固定する。そして、各特定画素間の色座標偏差が最小になるように、基準画素Ｐ１近傍の特定画素から順次、輝度補正量を調整するとともに、特定画素間の任意の画素での輝度補正量を、特定画素Ｐ１〜Ｐ９での輝度補正量に基づいて線形補間で求める。そして、画像生成部に入力される画像データに、輝度補正量を乗じることで色ムラ補正を行う。
【００９４】
本実施形態３の色ムラ補正方法を具体的に説明する。まず、投射スクリーンの表示領域の略全体に亙って図８のような特定画素Ｐ１〜Ｐ９を設定する。そして、特定画素Ｐ１を基準画素として、この特定画素Ｐ１の近傍の特定画素での輝度補正値を順次調整して、隣り合う各特定画素での色座標偏差を最小にする。調整手順としては、例えば以下のような操作を行う。
【００９５】
まず、特定画素（基準画素）Ｐ１と特定画素Ｐ２間の色座標偏差△１２が小さくなるように、特定画素Ｐ２での青（Ｂ）成分の補正値を調整する。次に、特定画素Ｐ２と特定画素Ｐ３間の色座標偏差△２３が小さくなるように、特定画素Ｐ３での青（Ｂ）成分の補正値を調整する。続いて、特定画素（基準画素）Ｐ１と特定画素Ｐ４間の色座標偏差△１４が小さくなるように、特定画素Ｐ４での青（Ｂ）成分の補正値を調整する。次に、特定画素Ｐ２と特定画素Ｐ５間の色座標偏差△２５と、特定画素Ｐ４と特定画素Ｐ５間の色座標偏差△４５と、が小さくなるように、特定画素Ｐ５での青（Ｂ）成分の補正値を調整する。その後、特定画素Ｐ３と特定画素Ｐ６間の色座標偏差△３６と、特定画素Ｐ５と特定画素Ｐ６間の色座標偏差△５６と、が小さくなるように、特定画素Ｐ６での青（Ｂ）成分の補正値を調整する。さらに、特定画素Ｐ４と特定画素Ｐ７間の色座標偏差△４７が小さくなるように、特定画素Ｐ７での青（Ｂ）成分の補正値を調整する。続いて、特定画素Ｐ５と特定画素Ｐ８間の色座標偏差△５８と、特定画素Ｐ７と特定画素Ｐ８間の色座標偏差△７８と、が小さくなるように、特定画素Ｐ８での青（Ｂ）成分の補正値を調整する。最後に、特定画素Ｐ６と特定画素Ｐ９間の色座標偏差△６９と、特定画素Ｐ８と特定画素Ｐ９間の色座標偏差△８９と、が小さくなるように、特定画素Ｐ９での青（Ｂ）成分の補正値を調整する。
【００９６】
このようにして求めた輝度補正値に基づいて、投射スクリーンの表示領域全体に亙って線形補間を行って全画素での輝度補正値を求めることができる。なお、このような輝度補正値は、所定階調の画像に関して最適の補正効果が得られるように決定されているため、階調、色調が異なる画面に対しての補正効果が変動する。そこで、階調／色調依存性を抑制するために、複数の補正値を用意しておき、階調／色調に応じて切り替えるようにすることが好ましい。また、このような複数の階調／色調で得られた補正値を平均して用いてもよい。
【００９７】
以上、実施形態１〜実施形態３について説明したが、本発明はこれらに限定されるものではなく、構成の要旨に付随する各種の変更が可能である。例えば、上記した実施形態１では投射スクリーン３００を８つの三角形領域Ｓ１〜Ｓ８に区画したが、領域の数はこれに限定されるものではない。また、上記した実施形態１では、輝度補正量を求めるのにＵＣＳ表色系を用いたが、他の表色系を用いて調整を行うことも可能である。さらに、上記した実施形態１および実施形態２は、本発明を投射型表示装置に適用したが、投射型表示装置としてデジタルマイクロミラーデバイス（ＤＭＤ）に本発明を適用することも可能である。また、本発明は、３板方式の投射型表示装置のように３つの色画像データが画像生成部に入力されるものおいて、特に効果を奏するが、投射型表示装置に限定されるものではなく、直視型の液晶表示装置などの各種の表示装置に適用することができる。また、上記した各実施形態に係る色ムラ補正方法は、３板方式や２板方式のＣＣＤ撮像デバイスに適用することも可能である。この場合、ＣＣＤ撮像デバイスで撮像した画像を一旦表示画面に表示して、基準画素での輝度測定を行って補正量を決定する。そして、上記した実施形態１と同様に所定の三角領域固有の係数データをメモリに格納して用いれば、撮像特性の色ムラを補正することができる。
【図面の簡単な説明】
【図１】本発明に係る実施形態１の投射型表示装置を示すブロック図である。
【図２】実施形態１の投射スクリーンの区画を示す説明図である。
【図３】実施形態１における色座標上での位置補正の方法を示す説明図である。
【図４】実施形態１における投射型表示装置の画面生成部を示す説明図である。
【図５】実施形態１の変形例１を示す投射スクリーンの区画を示す説明図である。
【図６】実施形態１の変形例２を示す投射スクリーンの区画を示す説明図である。
【図７】本発明に係る実施形態２の投射型表示装置を示すブロック図である。
【図８】本発明に係る実施形態３の色補正方法の説明図である。
【符号の説明】
１  投射型表示装置
１０  画像生成部
２０  駆動回路部
２１  領域判断部
２２  メモリ
２３  レジスタ
２４  乗算回路
２７  色ムラ補正回路
２８  階調判断部
３００  投射スクリーン
【図１】
0003783465.tif 000002
【図２】
0003783465.tif 000003
【図３】
0003783465.tif 000004
【図４】
0003783465.tif 000005
【図５】
0003783465.tif 000006
【図６】
0003783465.tif 000007
【図７】
0003783465.tif 000008
【図８】
0003783465.tif 000009